(57)【要約】【課題】  貯湯タンク内の高温の湯をそのまま使用する系統と、給湯水との混合湯として使用する系統との２系統を有するものにおいて、高温湯の使用状況によって混合湯の湯温が変動するのを抑制可能とする給湯装置を提供する。【解決手段】  給湯装置において、貯湯タンク１に貯えられた高温の湯のみを給湯するための高温給湯経路２４と、給水経路１２に設けられ、給水経路１２を流れる水の流量を検出する第１流量検出手段６２と、混合給湯経路１７に設けられ、混合給湯経路１７を流れる混合湯の流量を検出する第２流量検出手段７２と、第１流量検出手段６２の検出流量を用いて、混合弁１６の弁開度を制御する制御手段２００とを備えるものとする。【選択図】    図１
2006057905.tif 000002
【特許請求の範囲】
【請求項１】
加熱手段（２）により内部の水を加熱して高温の湯とし、内部に貯える貯湯タンク（１）と、
前記貯湯タンク（１）内に給水する給水経路（１２）と、
前記貯湯タンク（１）に貯えられた前記高温の湯のみを給湯するための高温給湯経路（２４）と、
前記貯湯タンク（１）に貯えられた前記高温の湯を出湯する出湯経路（１４）と、
前記給水経路（１２）から分岐し、前記貯湯タンク（１）を迂回するバイパス経路（１５）と、
前記出湯経路（１４）と前記バイパス経路（１５）との合流点に設けられ、弁開度に応じて前記出湯経路（１４）を流れる前記高温の湯と前記バイパス経路（１５）を流れる水との混合比を調節する混合弁（１６）と、
前記混合弁（１６）によって混合された混合湯を給湯する混合給湯経路（１７）と、
前記給水経路（１２）に設けられ、前記給水経路（１２）を流れる水の流量を検出する第１流量検出手段（６２）と、
前記混合給湯経路（１７）に設けられ、前記混合給湯経路（１７）を流れる前記混合湯の流量を検出する第２流量検出手段（７２）と、
前記第１流量検出手段（６２）の検出流量を用いて、前記混合弁（１６）の前記弁開度を制御する制御手段（２００）とを備えることを特徴とする給湯装置。
【請求項２】
前記第１流量検出手段（６２）は、前記給水経路（１２）の前記バイパス経路（１５）分岐点より上流側に設けられたことを特徴とする請求項１に記載の給湯装置。
【請求項３】
前記制御手段（２００）は、前記第１流量検出手段（６２）の検出流量を基に所定流量毎に前記混合弁（１６）の前記弁開度を制御することを特徴とする請求項１または請求項２に記載の給湯装置。
【請求項４】
前記制御手段（２００）は、前記第２流量検出手段（７２）の検出流量が正であり、且つ、前記第１流量検出手段（６２）の検出流量から前記第２流量検出手段（７２）の検出流量を差し引いた値が第１所定値より大きくなった時、前記混合給湯経路（１７）からのみ給湯される単独給湯が、前記高温給湯経路（２４）からも同時に給湯される同時給湯へ移行する状態であると判定し、
前記同時給湯への移行状態と判定した時に、前記混合弁（１６）の前記弁開度を、前記同時給湯時においてバランスされるように予め定めた所定の弁開度に変更することを特徴とする請求項２に記載の給湯装置。
【請求項５】
前記制御手段（２００）は、前記第２流量検出手段（７２）の検出流量が正であり、且つ、前記第１流量検出手段（６２）の検出流量から前記第２流量検出手段（７２）の検出流量を差し引いた値が第２所定値より小さくなった時、前記混合給湯経路（１７）および前記高温給湯経路（２４）から同時に給湯される同時給湯が、前記混合給湯経路（１７）からのみ給湯される単独給湯へ移行する状態であると判定し、
前記単独給湯への移行状態と判定した時に、前記混合弁（１６）の前記弁開度を、前記出湯経路（１４）の前記高温の湯の温度、前記バイパス経路（１５）の前記水の温度、前記混合給湯経路（１７）の前記混合湯の設定温度によって算出される理論混合弁開度に変更することを特徴とする請求項２に記載の給湯装置。
【発明の詳細な説明】
【技術分野】
【０００１】
本発明は、給湯用の高温の湯を貯湯タンク内に貯える貯湯式の給湯装置に関するものであり、給湯経路として貯湯タンク内の高温の湯をそのまま使用する経路と、給湯水と混合して使用する経路の２系統を有するものに適用される。
【背景技術】
【０００２】
従来から、例えば図８に示すような給湯装置が知られている。この給湯装置は、導出管９１４を介して貯湯タンク９０１から出湯した高温の湯と、貯湯タンク１へ給水を行なう導入管９１２から分岐した給水配管９１５を介して供給される給湯水とを、混合弁９１６により混合して混合湯とした後に、混合給湯配管９１７を介して使用側端末（例えば、風呂とカラン）へ送る給湯経路を２系統有している。
【０００３】
ここで、各混合給湯配管９１７を流れる湯の温度（給湯サーミスタ９６１、９７１によって得られる実温度）は、ユーザが設定する設定温度（例えば４２℃と３５℃）となるように、各系統の混合弁９１６の弁開度がフィードバック制御されて調整されるようにしている。具体的には、各流量カウンタ９６２、９７２で得られる所定流量毎に上記設定温度と実温度との差分に対応する補正量をもって各系統の混合弁９１６の弁開度がそれぞれ可変されるようにしている（フィードバック制御）。
【発明の開示】
【発明が解決しようとする課題】
【０００４】
しかしながら、図８に例示した従来技術の給湯装置に対して、業務用等においては２つの給湯経路のうち、１つの給湯経路については給湯水による混合を行なわずに、貯湯タンク内の高温の湯をそのまま（例えば９０℃）で使用したいというニーズがある。本発明者はこのような給湯装置を開発するなかで、以下のような問題点があることが解った。
【０００５】
即ち、２つの給湯経路を高温給湯経路と混合給湯経路とにした時に、高温給湯経路の使用状況に応じて、混合給湯経路側へ供給される高温の湯の量に影響が出る。ここで、高温給湯経路（上記９０℃）には耐熱性の面から高価なものを用いれば別であるが、現実的には従来の流量カウンタ（通常の耐熱性は６０℃）を設けることができず、高温給湯経路の給湯状態を即座に把握することができないため、上記湯量の影響を踏まえた混合弁の制御が遅れ、混合給湯経路の湯温に変動が生ずる。
【０００６】
例えば、混合給湯経路のみを使用している時に、高温給湯経路を使用し始めると、混合給湯経路に供給される高温の湯が減少して、一時的に湯温の落ち込みやハンチングが生ずる。この温度の落ち込みやハンチングは、高温給湯経路での高温の湯の使用量が多いほど、また、高温の湯の使用量変化が大きいほど顕著となる。
【０００７】
本発明の目的は、上記問題に鑑み、貯湯タンク内の高温の湯をそのまま使用する系統と、給湯水との混合湯として使用する系統との２系統を有するものにおいて、高温湯の使用状況によって混合湯の湯温が変動するのを抑制可能とする給湯装置を提供することにある。
【課題を解決するための手段】
【０００８】
本発明は上記目的を達成するために、以下の技術的手段を採用する。
【０００９】
請求項１に記載の発明では、給湯装置において、加熱手段（２）により内部の水を加熱して高温の湯とし、内部に貯える貯湯タンク（１）と、貯湯タンク（１）内に給水する給水経路（１２）と、貯湯タンク（１）に貯えられた高温の湯のみを給湯するための高温給湯経路（２４）と、貯湯タンク（１）に貯えられた高温の湯を出湯する出湯経路（１４）と、給水経路（１２）から分岐し、貯湯タンク（１）を迂回するバイパス経路（１５）と、出湯経路（１４）とバイパス経路（１５）との合流点に設けられ、弁開度に応じて出湯経路（１４）を流れる高温の湯とバイパス経路（１５）を流れる水との混合比を調節する混合弁（１６）と、混合弁（１６）によって混合された混合湯を給湯する混合給湯経路（１７）と、給水経路（１２）に設けられ、給水経路（１２）を流れる水の流量を検出する第１流量検出手段（６２）と、混合給湯経路（１７）に設けられ、混合給湯経路（１７）を流れる混合湯の流量を検出する第２流量検出手段（７２）と、第１流量検出手段（６２）の検出流量を用いて、混合弁（１６）の弁開度を制御する制御手段（２００）とを備えることを特徴としている。
【００１０】
本発明の給湯装置においては、第１流量検出手段（６２）による検出流量は、高温給湯経路（２４）から給湯される高温の湯の流量を含むものであるので、第２流量検出手段（７２）の検出流量との直接的あるいは間接的な比較によって、高温給湯経路（２４）の給湯状態を判定することができる。よって、高温給湯経路（２４）の給湯状態を把握して、速やかに混合弁（１６）の弁開度を制御することで、高温給湯経路（２４）側の使用状況に応じて生ずる混合給湯経路（１７）側における混合湯の温度変動を抑制することができる。
【００１１】
第１流量検出手段（６２）は、請求項２に記載の発明のように、給水経路（１２）のバイパス経路（１５）分岐点より上流側に設けるのが良く、これにより、第１流量検出手段（６２）の検出流量と第２流量検出手段（７２）の検出流量との直接的な比較から、より簡単に高温給湯経路（２４）の給湯状態を把握することができる。
【００１２】
請求項３に記載の発明では、制御手段（２００）は、第１流量検出手段（６２）の検出流量を基に所定流量毎に混合弁（１６）の弁開度を制御することを特徴としている。
【００１３】
これにより、高温給湯経路（２４）で高温の湯が使用されると、その分、第１流量検出手段（６２）での検出流量は増加するので、所定流量毎に混合弁（１６）を制御する際のインターバルが短くなり、追従遅れを低減でき、混合給湯経路（１７）側における混合湯の温度変動を抑制することができる。
【００１４】
また、請求項４に記載の発明では、制御手段（２００）は、第２流量検出手段（７２）の検出流量が正であり、且つ、第１流量検出手段（６２）の検出流量から第２流量検出手段（７２）の検出流量を差し引いた値が第１所定値より大きくなった時、混合給湯経路（１７）からのみ給湯される単独給湯が、高温給湯経路（２４）からも同時に給湯される同時給湯へ移行する状態であると判定し、同時給湯への移行状態と判定した時に、混合弁（１６）の弁開度を、同時給湯時においてバランスされるように予め定めた所定の弁開度に変更することを特徴としている。
【００１５】
これにより、同時給湯への移行時における混合弁（１６）の弁開度を速やかに、且つ適切に変更することができるので、混合給湯経路（１７）側における混合湯の温度変動を抑制することができる。
【００１６】
また、請求項５に記載の発明では、制御手段（２００）は、第２流量検出手段（７２）の検出流量が正であり、且つ、第１流量検出手段（６２）の検出流量から第２流量検出手段（７２）の検出流量を差し引いた値が第２所定値より小さくなった時、混合給湯経路（１７）および高温給湯経路（２４）から同時に給湯される同時給湯が、混合給湯経路（１７）からのみ給湯される単独給湯へ移行する状態であると判定し、単独給湯への移行状態と判定した時に、混合弁（１６）の弁開度を、出湯経路（１４）の高温の湯の温度、バイパス経路（１５）の水の温度、混合給湯経路（１７）の混合湯の設定温度によって算出される理論混合弁開度に変更することを特徴としている。
【００１７】
これにより、単独給湯への移行時における混合弁（１６）の弁開度を速やかに、且つ適切に変更することができるので、混合給湯経路（１７）側における混合湯の温度変動を抑制することができる。
【００１８】
尚、上記各手段に付した括弧内の符号は、後述する実施形態記載の具体的手段との対応関係を示す一例である。
【発明を実施するための最良の形態】
【００１９】
（第１実施形態）
本発明の第１実施形態について図１〜図５に示す図面に基づいて説明する。尚、図１は貯湯式給湯装置の概略構成を示す模式図、図２は給湯状態毎の給湯判定方法を示す一覧表、図３は理論混合弁開度を算出するための特性線図、図４は作動状態をしめすタイムチャート、図５は同時給湯移行時の混合湯の温度変化を示すグラフである。図６は本発明適用前の図５に対する温度変化を示すグラフである。
【００２０】
まず、第１実施形態の基本構成について説明する。図１に示すように、１は耐食性に優れた金属製（例えばステンレス製）の貯湯タンクであり、外周部に図示しない断熱材が配置されており、高温の湯（以下、高温湯）を長時間に渡って保温することができるようになっている。貯湯タンク１は縦長形状であり、その底面には導入口１１が設けられ、この導入口１１には貯湯タンク１内に給湯水を導入する導入管（本発明における給水経路に対応）１２が接続されている。
【００２１】
導入管１２には温度検出手段である給水サーミスタ６１と第１流量検出手段である流量カウンタ６２が設けられており、給水サーミスタ６１は導入管１２内の温度情報を、流量カウンタ６２は導入管１２内の流量情報を後述する制御装置２００に出力するようになっている。
【００２２】
導入管１２の給水サーミスタ６１および流量カウンタ６２が設けられた位置より上流側には減圧弁６３が設けられており、貯湯タンク１内に給湯水が穏やかに導入されるようになっている。
【００２３】
また、導入管１２の給水サーミスタ６１および流量カウンタ６２が設けられた位置より下流側と、後述する混合弁１６とは給水配管（本発明におけるバイパス経路に対応）１５により繋がれている。
【００２４】
一方、貯湯タンク１の最上部には導出口１３が設けられ、導出口１３には貯湯タンク１内の高温湯を導出するための導出管（本発明における出湯経路に対応）１４が接続されている。１６は混合弁であり、導出管１４と給水配管１５との合流点に配置されている。そして、混合弁１６は弁開度（後述する理論混合弁開度）を調節することにより、導出管１４からの高温湯と給水配管１５からの給湯水との混合比を調節できるようになっている。
【００２５】
尚、混合弁１６はサーボモータ等の駆動源により弁体を駆動する電動弁であり、後述する制御装置２００からの制御信号により作動する（上記弁開度が可変される）と共に、作動状態を制御装置２００に出力するようになっている。
【００２６】
混合弁１６の出口側には混合給湯経路である配管１７が接続されている。配管１７は、下流側の混合湯使用側端末に設けられたカラン等に混合弁１６で混合された混合湯（例えば４２℃の湯）を給湯するものである。そして、配管１７には温度検出手段である給湯サーミスタ７１と、第２流量検出手段である流量カウンタ７２とが設けられており、給湯サーミスタ７１は配管１７内の混合湯の温度情報を、流量カウンタ７２は配管１７内の混合湯の流量情報を後述する制御装置２００に出力するようになっている。
【００２７】
貯湯タンク１の最上部には上記導出口１３に加えて、導出口２３が設けられており、導出口２３には貯湯タンク１内の高温湯を導出するための配管（本発明における高温給湯経路に対応）２４が接続されている。即ち、この配管２４は、下流側の高温湯使用側端末に設けられた機器（例えば業務用食器洗浄機）やカラン等に、貯湯タンク１内の高温湯（例えば９０℃の湯）を直接（給湯水を混合することなく）給湯するようになっている。
【００２８】
貯湯タンク１の下面には、貯湯タンク１内の給湯水を吸入するための吸入口１８が設けられ、貯湯タンク１の上面には、貯湯タンク１内に湯を吐出する吐出口１９が設けられている。吸入口１８と吐出口１９とは循環回路２０で接続されており、循環回路２０の一部はヒートポンプユニット（本発明における加熱手段に対応）２内に配置されている。循環回路２０のヒートポンプユニット２内に配置された部分には、図示しない熱交換器が設けられており、吸入口１８から吸入した貯湯タンク１内の給湯水を高温冷媒との熱交換により加熱し、吐出口１９から貯湯タンク１内に戻すことにより貯湯タンク１内の給湯水を沸き上げることができるようになっている。
【００２９】
尚、ヒートポンプユニット２は後述する制御装置２００からの制御信号により作動すると共に、作動状態を制御装置２００に出力するようになっている。
【００３０】
貯湯タンク１の下部外壁面には、貯湯タンク１内下部の水温を検出する入水サーミスタ３１が設けられており、導入口１１から導入された給湯水の温度情報を後述する制御装置２００に出力するようになっている。また、貯湯タンク１の上部外壁面には、貯湯タンク１内上部の水温を検出する出湯サーミスタ３２が設けられており、導出口１３、２３から導出される高温湯の温度情報を後述する制御装置２００に出力するようになっている。
【００３１】
更に、貯湯タンク１の外壁面には複数の（本例では５つの）水位サーミスタ３３〜３７が縦方向にほぼ等間隔に配置され、貯湯タンク１内に満たされた水（高温湯、給湯水）の各水位レベルでの温度情報を後述する制御装置２００に出力するようになっている。
【００３２】
例えば、容量３００Ｌの貯湯タンク１の外壁面に５つの水位サーミスタ３３〜３７を設けた場合には、容量５０Ｌ刻みの水位レベルの温度情報を出力し、貯湯タンク１内上方の沸き上げられた高温湯と貯湯タンク１内下方の沸き上げられる前の給湯水との境界面を５０Ｌ刻みで検出できるようになっている。
【００３３】
１００はユーザの行なう制御条件設定（配管１７内の混合湯の温度設定等）・表示を行なうための操作盤であり、各種操作スイッチの信号を後述する制御装置２００に出力すると共に、制御装置２００からの制御信号により表示手段である表示部１１０の表示を行なうようになっている。
【００３４】
また、２００は制御装置（本発明における制御手段に対応）であり、各サーミスタ３１〜３７、６１、７１からの温度情報、流量カウンタ６２、７２からの流量情報および操作盤１００に設けられた操作スイッチからの信号等に基づいて、ヒートポンプユニット２の制御（沸き上げ制御）、混合弁１６の制御（給湯制御）および操作盤１００の表示部１１０の制御等を行なうように構成されている。
【００３５】
特に本発明においては、流量カウンタ６２からの流量情報と、流量カウンタ６２、７２からの流量情報に基づく配管１７、２４の給湯状態とを基に、制御装置２００が混合弁１６の弁開度を制御するところに特徴を持たせている（以下詳述）。
【００３６】
次に、上記構成に基づく給湯装置の作動について説明する。本給湯装置においては、導入管１２から補充される補充流量および給水配管１５側に供給される供給流量は、配管１７からの混合湯の給湯量と、配管２４からの高温湯の給湯量との和に等しいことから、制御装置２００は、高温湯の流量（配管２４からの流量）については、流量カウンタ６２の検出流量から流量カウンタ７２の検出流量を差し引いた値として得る。また、混合湯の流量については、直接的に流量カウンタ７２の検出流量値として得る。そして、それぞれの配管１７、２４からの給湯状態を図２に示すように、各流量カウンタ６２、７２の検出流量の比較、および流量カウンタ７２の検出流量から判定する。尚、図２中の所定値１（本発明の第１所定値に対応）、所定値２（本発明における第２所定値に対応）は、各流量カウンタ６２、７２の検出流量のバラツキを吸収し、また、すばやい給湯状態の判定を可能とするために定めた定数である。
【００３７】
上記給湯状態の判定において、混合湯の単独給湯と判定すると、制御装置２００は、混合弁１６の弁開度を調節して、即ち、導出管１４からの高温湯と給水配管１５からの給湯水との混合比を調節して、給湯サーミスタ７１で得られる混合湯実温度が、ユーザの設定により操作盤１００から入力される混合湯設定温度（例えば４２℃）となるようにする。
【００３８】
具体的には、制御装置２００は上記混合弁１６の弁開度を、まず図３に示す理論混合弁開度（以下の数式１によって得られる理論混合比Ｈｓｄに混合弁１６固有の特性分を補正した実混合弁開度Ｈｓ）に設定する。その後に、流量カウンタ６２の検出流量を基に所定流量毎に、混合湯設定温度と混合湯実温度との差に応じて、上記で設定した理論混合弁開度を可変していく（フィードバック制御）。
【００３９】
（数１）
理論混合比Ｈｓｄ＝（混合湯設定温度−給湯水温度）／（高温湯温度−給湯水温度）×１００％
但し、給湯水温度は、給水サーミスタ６１で得られる温度、高温湯温度は、出湯サーミスタ３２で得られる温度である。
【００４０】
一方、高温湯単独給湯判定時は、配管２４からの高温湯が高温湯使用側端末にそのまま給湯される。
【００４１】
また、高温湯と混合湯の同時給湯と判定すると、高温湯が配管２４から給湯され、制御装置２００は、上記混合湯単独給湯時と同様に混合弁１６の弁開度を制御する。この時、図４に示すように、高温湯が配管２４から給湯されると、導出管１４側への高温湯の流量が減少するため（流量Ｂ→流量Ｂ１）、制御装置２００は混合弁１６の弁開度を大きい側に可変することになる。
【００４２】
更に、同時給湯から高温湯の使用が停止され、混合湯の単独給湯に移行したと判定すると、制御装置２００は、図４に示すように、混合弁１６の弁開度をその時点で得られる理論混合弁開度に一気に可変（小さい側に可変）した後、フィードバック制御に移行する。
【００４３】
このように本発明においては、流量カウンタ６２の検出流量を基に、混合弁１６の弁開度を制御するようにしているので、混合湯の単独給湯から高温湯との同時給湯に移行する同時給湯移行時における混合湯側の湯温低下および温度ハンチングを抑制することができる。即ち、図４に示すように、同時給湯移行時においては、配管２４側での高温湯の使用に伴い、流量カウンタ６２での検出流量は増加（流量Ｂ→流量Ａ）するので、流量カウンタ６２に基づいて所定流量毎に混合弁１６を制御する際のインターバルが短くなり、追従遅れを低減でき、配管１７側における混合湯の温度低下、温度ハンチングを抑制することができる訳である。
【００４４】
図５に示すグラフは、その効果を定量的に確認したものであり、図６に示す本発明適用前のもの（従来技術のように混合弁１６の弁開度制御を流量カウンタ７２の検出流量に基づいて行なうもの）に対して、同時給湯移行時における混合湯の温度低下を小さくし（１３．５℃→８．５℃）、温度ハンチング時間を短くすること（３０秒→１０秒）ができた。
【００４５】
また、同時給湯から混合湯の単独給湯に移行する際（混合湯の単独給湯移行判定時）には、本発明適用前のものにおいては、導出管１４への高温湯の増加（流量Ｂ１→流量Ｂ）に伴い、混合湯の温度上昇（オーバーシュート）および温度ハンチング（図４（ｅ）の破線）を引き起こしていた。しかしながら、本発明においては、混合湯の単独給湯移行判定時に混合弁１６の弁開度をその時点で得られる理論混合弁開度に一気に可変した後、フィードバック制御に移行するようにしているので、単独給湯への移行時における混合弁１６の弁開度を速やかに、且つ適切に変更することができ、混合湯の温度上昇、温度ハンチングを抑制することができる。
【００４６】
（第２実施形態）
第２実施形態は、上記第１実施形態に対して、混合湯の単独給湯から高温湯を加えた同時給湯移行時における混合弁１６の弁開度制御を変更したものである。
【００４７】
ここでは、混合湯と高温湯の同時給湯移行判定時（図２中の下から２段め、図７中の同時給湯判定ＯＮ時）に、混合弁１６の弁開度を予め定めた所定の弁開度に一気に変更し、その後にフィードバック制御するものとしている。具体的には、上記所定の弁開度を、同時給湯移行判定前の弁開度に補正弁開度αを加えたものとしている。
【００４８】
補正弁開度αは、同時給湯時において各配管１７、２４を流通する混合湯と高温湯の流量比率に応じてそれまでの弁開度をどの程度大きくすれば混合湯実温度が混合湯目標温度にバランスするかをあらかじめ実験により算出したものである。
【００４９】
よって、制御装置２００は、同時給湯移行判定時に、流量カウンタ６２、７２から得られる混合湯量、高温湯量から補正弁開度αを求め、それまでの混合弁１６の弁開度に補正弁開度αを加えた弁開度に変更する訳である。
【００５０】
これにより、同時給湯への移行時における混合弁１６の弁開度を速やかに、且つ適切に変更することができるので、配管１７側における混合湯の温度低下、温度ハンチングを抑制することができる。
【００５１】
（その他の実施形態）
上記第１、第２実施形態に対して、第１流量検出手段としての流量カウンタ６２の設定位置を導入管１２における給水配管１５の分岐点よりも下流側（貯湯タンク１側）に設置しても良い。
【００５２】
この場合は、混合弁１６の弁開度をＨとすると、高温湯の流量は以下の数式２で得られ、上記第１、第２実施形態と同様の制御が可能となる。
【００５３】
（数２）
高温湯の流量＝流量カウンタ６２の流量−Ｈ×流量カウンタ７２の流量
また、上記各実施形態において、各流量検出手段は流量カウンタ６２、７２であったが、流量を検出可能であればこれに限定されるものではない。
【００５４】
また、上記各実施形態において、加熱手段としてヒートポンプユニット２を用いて貯湯タンク１内の水を沸き上げるものとしたが、貯湯タンク１内の水が加熱できるものであればこれに限らない。例えば、貯湯タンク１内に電気ヒータを設け、これを発熱制御して貯湯タンク１内の水を沸き上げるものであっても良い。
【００５５】
また、上記各実施形態において、５０Ｌ、３００Ｌ、５つ等の実数値は例示であって、貯湯式給湯装置の諸特性等に応じて適宜設定し得るものである。
【図面の簡単な説明】
【００５６】
【図１】第１実施形態における貯湯式給湯装置の概略構成を示す模式図である。
【図２】給湯状態毎の給湯判定方法を示す一覧表である。
【図３】理論混合弁開度を算出するための特性線図である。
【図４】第１実施形態における作動状態を示すタイムチャートである。
【図５】図４における同時給湯移行時の混合湯の温度変化を示すグラフである。
【図６】本発明適用前の図５に対する温度変化を示すグラフである。
【図７】第２実施形態における作動状態を示すタイムチャートである。
【図８】従来例の給湯装置の概略構成を示す模式図である。
【符号の説明】
【００５７】
１  貯湯タンク
２  ヒートポンプユニット（加熱手段）
１２  導入管（給水経路）
１４  導出管（出湯経路）
１５  給水配管（バイパス経路）
１６  混合弁
１７  配管（混合給湯経路）
２４  配管（高温給湯経路）
６２  流量カウンタ（第１流量検出手段）
７２  流量カウンタ（第２流量検出手段）
２００  制御装置（制御手段）
【図１】
2006057905.tif 000003
【図２】
2006057905.tif 000004
【図３】
2006057905.tif 000005
【図４】
2006057905.tif 000006
【図５】
2006057905.tif 000007
【図６】
2006057905.tif 000008
【図７】
2006057905.tif 000009
【図８】
2006057905.tif 000010